(57)【要約】【課題】建物の開口部を遮閉する日除けスクリーンを送り出し張り出しするオーニング装置であって、その操作が室内側から容易にでき、張り出し量も大きいオーニング装置を提供する。【解決手段】室内側から操作用チェーン１９を操作することにより回転機構部５によりロール３が回転し、日除けスクリーン４が送り出される。アーム６がストッパ９に当るまではアーム６の下降に伴って日除けスクリーンも送り出されるがアーム６がストッパ９に当るとアーム６の自重がなくなり、アーム６内のスプリングのスプリング力によりアーム６が回動し日除けスクリーン４の張り出しが行われる。【選択図】    図１
2006299686.tif 000002
【特許請求の範囲】
【請求項１】
窓枠に沿って相対向して立設されるガイドレールと、該ガイドレールの上端に横架されて枢支されるロールと、このロールに巻回される日除けスクリーンと、前記ロールを回転させる回転機構部と、前記両ガイドレールに沿って昇降するアームと、この二本のアーム上端に横架され前記日除けスクリーンの張り出し端を固持する横桟と、を有し、前記日除けスクリーンの前記回転機構部の操作部が室内側に配置され、室内側から前記回転機構部を操作して、前記日除けスクリーンを外側に張り出させるようにしたことを特徴とするオーニング装置。
【請求項２】
窓枠に沿って相対向して立設されるガイドレールと、該ガイドレールの上端に横架されて枢支されるロールと、このロールに巻回される日除けスクリーンと、前記ロールを回転させる回転機構部と、前記両ガイドレールに沿って昇降するアームと、この二本のアーム上端に横架され前記日除けスクリーンの張り出し端を固持する横桟と、を有するオーニング装置であって、
前記回転機構部の操作部が室内側にあり、前記アームは前記日除けスクリーンの固定側と逆の下端位置を基点として屋外に張り出すように回動自在に形成され、前記アームには該アームを回動方向に付勢するスプリングが内蔵され、前記アームの自重が該スプリングのアーム回動方向のスプリング力よりも大きいものからなることを特徴とするオーニング装置。
【請求項３】
前記ガイドレールには、前記日除けスクリーンの先端を案内する中間支持棒が横架して配置され、前記中間支持棒は、前記アームの上端近傍に配置され、前記アームの回動方向を付勢するスプリングの一端部が連結され、前記アームと共にガイドレールに沿って昇降自在の軸支部が配置されていることを特徴とする請求項２に記載のオーニング装置。
【発明の詳細な説明】
【技術分野】
【０００１】
本発明は、窓等の建物開口部に取り付けられるオーニング装置に係り、特に、日除けスクリーンの屋外への張り出し動作が室内側から容易にできるオーニング装置に関する。
【背景技術】
【０００２】
従来、室内側から日除けスクリーンの屋外への張り出しを行うには、日除けスクリーンの下部を直接持って張り出し方向に押してその位置に固定する方法、また、日除けスクリーンを繰り出す回転機構を屋外で操作してスクリーンの自重で張り出させる方法などの日除け用操作器具がもっぱら採用されていた。そのため、日除けスクリーンを屋外側に大きく張り出させることが困難であった。また、屋外側に日除けスクリーンを大きく張り出させるには人が室外に出て、張り出し操作するしかなかった。そのため、張り出し操作が面倒であり、かつ手動によって張り出し動作をするため操作性が悪く、かつ危険でもあった。このような装置の一例として「特許文献１」が挙げられる。
【特許文献１】特開２００１−３５３１号公報（図１）
【発明の開示】
【発明が解決しようとする課題】
【０００３】
前記の「特許文献１」の特開２００１−３５３１号公報「日除け器具」は、シート（８ａ）の下端部をその先端に固定したブラケット（２）を張り出し時において溝付型材（柱）側の枢支点（２ｃ）を基点として回動させてシートの張り出しを行うものであるが、室内から操作すると張り出し量が小さく、かつブラケット（２）の下端を持ってブラケット（２）を回動させるものであり、前記のような問題点を有するものである。
【０００４】
本発明は、以上の問題点を解決するものであり、室内側から日除けスクリーンの張り出し操作が容易にでき、張り出し量も十分にとれるオーニング装置を提供することを目的とする。
【課題を解決するための手段】
【０００５】
本発明は、以上の目的を達成するために、請求項１の発明は、窓枠に沿って相対向して立設されるガイドレールと、該ガイドレールの上端に横架されて枢支されるロールと、このロールに巻回される日除けスクリーンと、前記ロールを回転させる回転機構部と、前記両ガイドレールに沿って昇降するアームと、この二本のアーム上端に横架され前記日除けスクリーンの張り出し端を固持する横桟と、を有し、前記日除けスクリーンの前記回転機構部の操作部が室内側に配置され、室内側から前記回転機構部を操作して、前記日除けスクリーンを外側に張り出させるオーニング装置の構成である。
【０００６】
請求項２の発明は、窓枠に沿って相対向して立設されるガイドレールと、該ガイドレールの上端に横架されて枢支されるロールと、このロールに巻回される日除けスクリーンと、前記ロールを回転させる回転機構部と、前記両ガイドレールに沿って昇降するアームと、この二本のアーム上端に横架され前記日除けスクリーンの張り出し端を固持する横桟と、を有するオーニング装置であって、前記回転機構部の操作部が室内側にあり、前記アームは前記日除けスクリーンの固定側と逆の下端位置を基点として屋外に張り出すように回動自在に形成され、前記アームには該アームを回動方向に付勢するスプリングが内蔵され、前記アームの自重が該スプリングのアーム回動方向のスプリング力よりも大きいものからなることを特徴とする。
【０００７】
また、請求項３の発明は、前記ガイドレールには前記日除けスクリーンの先端を案内する中間支持棒が横架して配置され、前記中間支持棒は、前記アームの上端近傍に配置され、前記アームの回動方向を付勢するスプリングの一端部が連結され、前記アームと共にガイドレールに沿って昇降自在の軸支部が配置されていることを特徴とする。
【発明の効果】
【０００８】
本発明のオーニング装置によれば、日除けスクリーンを巻回したロールの回転機構は室内側にある操作部を操作することにより回転し、日除けスクリーンをロールから繰り出すことになるから日除けスクリーンの先端アームを手動で操作することが無いから、充分に日除けスクリーンを屋外に繰り出すことができる。
【０００９】
また、本発明のオーニング装置は、日除けスクリーンの端部が両側に立設したガイドレールに沿って昇降するアームの上端に連結され、アームは日除けスクリーンの繰り出しに伴ってガイドレールに沿って下降し、その下端がストッパに当る。アームにはスプリングが内蔵されているが、このスプリングの張り出し方向へのスプリング力はアームの自重より小さいため、アームがストッパに当るまで日除けスクリーンは張り出し方向に動かさない。アームがストッパに当ると自重がなくなるため、アームにスプリング力が作用しアームが回動し日除けスクリーンを張り出しする。
以上のように室内から操作部を操作するだけで日除けスクリーンの張り出しが簡単に行われ、日除け用スクーンの下部を直接持って張り出し操作するものでないため日除けスクリーンの張り出し量を十分にとることができる。
【００１０】
また、本発明の請求項３のオーニング装置によれば、アームの上端の近傍に中間支持棒が設けられるため日除けスクリーンは中間支持棒に案内されて円滑に張り出しされる。また、中間支持棒とアームとはスプリングにより連結されているため中間支持棒はアームと共にガイドレールに沿って移動する。そのため、日除けスクリーンのそのストロークの全長にわたって中間支持棒により案内される。
【発明を実施するための最良の形態】
【００１１】
以下、本発明のオーニング装置の実施の形態について図面を参照して詳述する。
オーニング装置の装置本体１は、大別して相対向して立設する２本のガイドレール２と、この上端に横架されてガイドレール２に両端を枢支されるロール３と、これに巻回される日除けスクリーン４と、ロール３を回転駆動する回転機構部５と、ガイドレール２、２に摺動自在に支持され、上方の自由端に横架される横桟７を有しその下端に軸支部８を有するアーム６と、アーム６の下端位置を決めるストッパ９等とからなる。なお、図１に示すように本実施形態の状態ではアーム６の横桟７の近傍には中間支持棒１０が横桟７と並設される。なお、アーム６と中間支持棒１０との間にはアーム６を回動方向に付勢するスプリングが設けられている。
【００１２】
ロール３は細長の円筒パイプからなり、その両端の回転軸３ａはガイドレール２内に固持されている軸受１２，１２に枢支される。また、軸受１２の近傍のロール３の回転軸３ａにはウォーム１３が固定される。図１及び図２に示すように日除けスクリーン４はロール３の全長にわたって巻回され、中間支持棒１０や横桟７側にその下端が出るように配置され、実施例では横桟７に巻き付けてある。
【００１３】
次に、オーニング装置の回転機構部５を説明する。
図１に示すようにガイドレール２，２間にはフレーム１４が固定され、フレーム１４には図２に示すようにプーリ１５を枢支する軸受ブラケット１６が固定される。一方、ガイドレール２の上端にはプーリ１５と駆動用ベルト１７を介して連結されるウォーム１３が枢支されている。一方、プーリ１５にはプーリ１５を回転するための操作部の１つである操作用チェーン１９が巻回され垂下状態で連結される。
【００１４】
図面に示す実施例では操作用チェーン１９によってプーリ１５を回転させるようにしてあるが、このプーリ１５を直接手動で回転させてもよく、また、リモートコントローラを使用して電動モータによって回転させて、スクリーン４を操作することができる。」
【００１５】
以上の構造により、操作用チェーン１９を室内側から送り出し操作することによりプーリ１５が回転し、これに伴って駆動用ベルト１７を介してウォーム１３が回転する。これにより、ロール３が回転し、これに巻回している日除けスクリーン４が送り出されることになる。
【００１６】
アーム６はガイドレール２、２に摺動自在に支持される支持ブラケット２０にその下端部を枢支される細長のアーム状部材からなり、その上端には両アーム６，６間に横架される横桟７が固定される。なお、横桟７には日除けスクリーン４の下端が連結されて固定される。以上の構造によりアーム６は下端の支持点２１を基点として回動すると共に前記支持点２１が支持ブラケット２０に固定されるためアーム６は支持ブラケット２０と共にガイドレール２の長手方向によって昇降することになる。
【００１７】
一方、中間支持棒１０はその両端を支持ブラケット２２により枢支され、前記したように横桟７と近接して位置に配置される。なお、支持ブラケット２２もガイドレール２に摺動自在に支持される。
【００１８】
また、図３に示すように、アーム６と中間支持棒１０との間にはスプリングが設けられている。このスプリングはアーム６が支持点２１を基点として図６に示す方向（屋外側）に回動すべく付勢するものからなるが、このスプリング力はアーム６の自重よりも小さいためアーム６の自重が作用している間はスプリング力が作用せず、アーム６は回動しない。よって、アーム６の支持ブラケット２０がストップ９に当るとアーム６の自重作用がなくなり、スプリングのスプリング力によりアーム６は回動可能の状態になる。
【００１９】
次に、本発明のオーニング装置１による日除けスクリーン４の張り出し作用について説明する。
図４に示すように、ロール３に巻回されている日除けスクリーン４は中間支持棒１０及びアーム６の横桟７が上端位置にある場合は中間支持棒１０に案内された状態で横桟７にその下端を固定された状態で保持される。
【００２０】
次に、室内側から操作用チェーン１９を送り出し操作するとプーリ１５が回転し、ロール３が回転する。これにより、日除けスクリーン４が繰り出される。アーム６と支持ブラケット２０がガイドレール２に沿って下降し、図５に示すように支持ブラケット２０の下端がストッパ９に当るまでは日除けスクリーン４はアーム６の動きと共に下方に垂下状態で繰り出される。
【００２１】
アーム６の支持ブラケット２０がストッパ９に当ると、アーム６の自重がなくなり、内装したスプリングのスプリング力により図６に示すように日除けスクリーン４が張り出され、最終的にはアーム６がほぼ水平になるまで日除けスクリーン４が張り出しされることになる。
【００２２】
操作用チェーン１９を逆方向に送り出すことにより、ロール３が逆転し、日除けスクリーン４がロール３に巻回されるため、アーム６は回動し（図６時計方向に回動）、支持ブラケット２０はストッパ９から離れスプリングのスプリング力でなくなり、アーム６はガイドレール２とほぼ平行な状態にまで戻り、日除けスクリーン４の巻き上げに沿って上昇して停る。
【００２３】
以上のように、本発明のオーニング装置は室内側から操作用チェーン１９を作動することにより日除けスクリーンの繰り出しや張り出しが行われることになり、かつアーム６の長さは任意の長さでよく、外方への日除けスクリーンの張り出し量を自由に、かつ長くすることができる。
【００２４】
以上の説明において、各構成要素をしたが各要素の構造は以上のものに限定するものではなく、同一技術的範疇のものが採用されることは勿論である。
【産業上の利用可能性】
【００２５】
本発明のオーニング装置は建物の窓等に採用されるが、これに限定するものではなく、建物の開口部のすべてに適用され、その利用範囲は広い。
【図面の簡単な説明】
【００２６】
【図１】本発明のオーニング装置の全体構造を示す正面図である。
【図２】図１の側面図である。
【図３】図１の回転機構部の構造を示す部分上面図である。
【図４】本発明のオーニング装置の送り出し、張り出し作用を説明するための側面図である。
【図５】本発明のオーニング装置の送り出し、張り出し作用を説明するための側面図である。
【図６】本発明のオーニング装置の送り出し、張り出し作用を説明するための側面図である。
【符号の説明】
【００２７】
１    装置本体
２    ガイドレール
３    ロール
３ａ  回転軸
４    日除けスクリーン
５    回転機構部
６    アーム
７    横桟
８    軸支部
９    ストッパ
１０  中間支持棒
１１  スプリング
１２  軸受
１３  ウォーム
１４  フレーム
１５  プーリ
１６  軸受ブラケット
１７  駆動用ベルト
１８  ウォームギヤ
１９  操作用チェーン
２０  支持ブラケット
２１  支持点（軸支部）
２２  支持ブラケット
【図１】
2006299686.tif 000003
【図２】
2006299686.tif 000004
【図３】
2006299686.tif 000005
【図４】
2006299686.tif 000006
【図５】
2006299686.tif 000007
【図６】
2006299686.tif 000008